(57)【要約】      （修正有）【課題】端末制御サーバから一方向的に端末側の設定を受け入れて設定した場合に、ユーザの意向を反映できない不具合を防止する。【解決手段】端末は、非接触ＩＣカード制御サーバからの要求に応答して、非接触ＩＣカード機能の有効・無効設定の設定状況を応答する手段と、非接触ＩＣカード機能を有効化しリーダライタを起動する手段とを備える。非接触ＩＣカード制御サーバは、非接触ＩＣカードの起動を求めるサーバからの要求に応答して、対象端末内の非接触ＩＣカード機能の有効・無効設定を取得する手段と、取得した非接触ＩＣカード機能の有効・無効設定を解析し、非接触ＩＣカード機能の有効化およびリーダライタの起動を端末に要求する手段等を備える。リーダライタの起動を要求するサーバは、対象の端末やユーザのサービス加入状況を確認する手段等とを備える。【選択図】図３
2011242824.tif 000002
【特許請求の範囲】
【請求項１】
端末の遠隔制御機能を有するサーバであって、端末に具備された非接触ＩＣカードの遠隔制御機能と、
リーダライタの制御を要求するサーバとの通信機能と、
リーダライタの制御を要求するサーバから受信した要求を受け付ける機能と、
端末に具備された非接触ＩＣカードを制御するためのコマンドを生成する機能と、
端末からの応答を解析する機能と、
端末に具備されたリーダライタの起動を要求するか否かを判定する機能と、
端末からの応答に記載された非接触ＩＣカード機能が有効であるか無効であるかの状態を記憶する機能と、
を備えた非接触ＩＣカード機能遠隔制御サーバ。
【請求項２】
通信機能を有する端末であって、
ＩＣカード機能と、
リーダライタ機能と、
前記ＩＣカード機能と前記リーダライタ機能を制御することにより非接触ＩＣカードとしての機能を実現する機能と、
上記非接触ＩＣカードの動作がユーザにより許可されているか否かを記憶する機能と、
請求項１記載の非接触ＩＣカード機能遠隔制御サーバにより送信される制御コマンドを解析する機能と、
上記非接触ＩＣカード機能遠隔制御サーバより受信したコマンドに対する応答コマンドを生成する機能と
を備えた端末。
【請求項３】
請求項１記載の非接触ＩＣカード機能遠隔制御サーバと、
請求項２記載の端末の位置情報を保持するサーバと、
請求項２記載の端末と請求項２記載の端末の使用者が加入しているサービスを管理する事業者のサーバと通信可能なサーバであって、上記請求項１記載の非接触ＩＣカード機能遠隔制御サーバと通信する機能と、
上記端末の位置情報を保持するサーバとサービスを管理する事業者のサーバとからの情報を受信し収集する機能と、
上記端末の位置情報を保持するサーバとサービスを管理する事業者のサーバとからの情報を受信し、収集した情報から上記請求項２記載の端末に具備されたリーダライタを制御するタイミングを検出する機能と、
リーダライタの制御要求を上記請求項１記載の非接触ＩＣカード機能遠隔制御サーバに発行する機能と、
上記請求項２記載の端末に具備されたリーダライタを起動する直前の上記請求項２記載の端末が保持する非接触ＩＣカードの動作がユーザにより許可されているか否かの状態を記憶する機能と、
を備えた、上記請求項２記載の端末に具備されたリーダライタの制御要求を発行するサーバ。
【請求項４】
請求項１記載の非接触ＩＣカード機能遠隔制御サーバと、
請求項２記載の端末の位置情報を保持するサーバと、
上記請求項２記載の端末に具備されたリーダライタの制御要求を発行する請求項３記載のサーバとが連動して、上記請求項２記載の端末に具備されたリーダライタの制御を実現する端末制御システム。
【発明の詳細な説明】
【技術分野】
【０００１】
本発明は、通信機能および非接触ＩＣカード機能を有する携帯端末とその携帯端末を遠隔制御する携帯端末制御システムに関するものである。
【背景技術】
【０００２】
ＩＣタグと呼ばれる非接触型ＩＣカードやＲＦＩＤなどの電波を受信して動作する小型の電子装置を活用した、様々なサービスが提案されている。ＩＣタグは、数値や文字列、画像などのデジタル情報を格納し、リーダライタと呼ばれる装置から発射される電波によって電力を生成し、その電力を使用してリーダライタからの要求を処理して電波により応答を伝達するものである。リーダライタは、例えば携帯電話のような、一般ユーザが日常的に持ち歩く小型の端末に搭載されるケースが増えてきている。例えば、街中の様々な場所に掲示されたポスターに貼付されているＩＣタグに対し、携帯電話に内蔵されたリーダライタをかざしてそのＩＣタグ内の情報を読み取ることにより、簡便にＷｅｂサイトへの接続ができ、店舗で使える割引券やクーポン券を入手できるなど、携帯電話の機能と連動して一般ユーザに対して有益な情報を提供することが可能となっている（例えば、非特許文献１）。
【０００３】
ＩＣタグはリーダライタをかざすことにより動作を開始するため、リーダライタをかざす前にリーダライタが起動されている必要がある。リーダライタを起動する方法としては、ユーザ自らの操作により起動する方法とサーバからの遠隔操作によって起動する方法とがある。
【０００４】
ユーザ自らの操作により起動する方法は、ユーザ操作を必要とすることから利便性に欠ける。端末にリーダライタ起動専用のボタン等を設けて操作を簡便化することも可能ではあるが、携帯電話においては、デザインや設置スペース等の問題から実現が不可能な場合もある。このような背景から、リーダライタはユーザ視点から見た場合には自動的に起動されることが望ましい。
【０００５】
自動起動する方法としては、特許文献１のような、携帯電話を遠隔操作する技術の適用が可能である。特許文献１に記載された遠隔操作の方法は、端末を制御する機能を具備するサーバから、端末に対して端末を制御するための情報を送信し、端末は受信した情報を解析して実行可否を決定する、というものである。
【先行技術文献】
【特許文献】
【０００６】
【特許文献１】特開２００９−１３０３８１
【非特許文献】
【０００７】
【非特許文献１】ＮＦＣ  Ｆｏｒｕｍ，  "Ｅｓｓｅｎｔｉａｌｓ  ｆｏｒ  Ｓｕｃｃｅｓｓｆｕｌ  ＮＦＣ  Ｍｏｂｉｌｅ  Ｅｃｏｓｙｓｔｅｍ"，２００８
【発明の概要】
【発明が解決しようとする課題】
【０００８】
非接触ＩＣカードは電子マネーの機能を有しており、誰もがかざすだけで利用可能であることから、ユーザが意図しないシーンでの動作や第三者による不正利用などのリスクが存在する。これらのリスクを回避したいユーザのため、ＩＣタグのリーダライタ機能を含む携帯電話に具備された非接触ＩＣカード制御システムでは、ユーザによる非接触ＩＣカード機能の無効化を携帯電話単体で設定可能な構成となっている。非接触ＩＣカード機能を無効化したユーザは、利用したい度に非接触ＩＣカード機能を有効化することで、非接触ＩＣカード機能を利用する。
【０００９】
非特許文献１に記載の内容を適用する場合、端末制御サーバから一方向的に端末側の設定を受け入れて設定する必要がある。このため、ユーザから見た場合、自らが設定した非接触ＩＣカード機能の有効・無効設定とは無関係に、端末制御サーバからの要求が反映される形となり、ユーザの意向を反映できない場合がある。
【００１０】
また、サービスを提供するサーバ側から見た場合、ユーザの端末の設定やユーザが加入しているサービスに応じて、リーダライタの起動有無を柔軟に設定したい場合もある。例えば、あるサービスに加入しているユーザの中で、特権や特典を有するユーザに対してのみサービスを提供したい場合などである。
【課題を解決するための手段】
【００１１】
本発明は、上記の課題を解決するために、端末、端末を制御するサーバ、および、リーダライタの起動を求めるサーバらが連動してリーダライタの起動有無を判定するための手段を提供する。
【００１２】
端末は、非接触ＩＣカード制御サーバからの要求に応じて、非接触ＩＣカード機能の有効・無効設定の設定状況を応答する手段と、非接触ＩＣカード機能を有効化しリーダライタを起動する手段を提供する。
【００１３】
非接触ＩＣカード制御サーバは、非接触ＩＣカードの起動を求めるサーバからの要求により、対象端末内の非接触ＩＣカード機能の有効・無効設定を取得する手段と、取得した非接触ＩＣカード機能の有効・無効設定を解析して端末に対して非接触ＩＣカード機能を有効化してリーダライタの起動を指示するか否かを判定する手段と、端末に対して非接触ＩＣカード機能の有効化を要求しリーダライタの起動を要求する手段と、リーダライタの起動を求めるサーバに対してリーダライタの起動結果を送信する手段とを提供する。
【００１４】
リーダライタの起動を求めるサーバは、対象端末やユーザのサービス加入状況を確認する手段と、対象端末やユーザのサービス加入状況に応じて非接触ＩＣカード制御サーバに対しリーダライタの起動を要求する手段とを提供する。
【発明の効果】
【００１５】
端末の非接触ＩＣカード機能設定を取得することにより、リーダライタ機能の起動可否の判断にユーザの意向を反映可能になるとともに、サービス提供者視点においてもリーダライタ機能の起動可否を柔軟に判断することが可能となる。
【図面の簡単な説明】
【００１６】
【図１】本発明を適用する端末制御システムの構成例を示すブロック図である。
【図２】端末の構成例を示すブロック図である。
【図３】非接触ＩＣカード制御サーバの構成例を示すブロック図である。
【図４】リーダライタ制御要求サーバの構成例を示すブロック図である。
【図５】端末の非接触ＩＣカード機能が有効である場合のリーダライタ起動指示の例を示す図である。
【図６】端末の非接触ＩＣカード機能が有効である場合のリーダライタ起動指示の例を示す図である。
【図７】リーダライタ起動要求の例を示す図である。
【図８】非接触ＩＣカード制御サーバのリーダライタ起動要求を受信するときの動作を示すフローチャートである。
【図９】リーダライタ停止要求の例を示す図である。
【図１０】非接触ＩＣカード制御サーバのリーダライタ停止要求を受信するときの動作を示すフローチャートである。
【図１１】端末の非接触ＩＣカード設定確認コマンドを受信するときの動作を示すフローチャートである。
【図１２】端末のリーダライタ起動コマンドを受信するときの動作を示すフローチャートである。
【図１３】端末のリーダライタ停止コマンドを受信するときの動作を示すフローチャートである。
【発明を実施するための形態】
【００１７】
本発明の実施の形態について、図１から図１３を用いて説明する。
【００１８】
図１は、本発明における非接触ＩＣカード制御サーバ、端末およびリーダライタ制御要求サーバを含む端末制御システムの一形態である。非接触ＩＣカード制御サーバ１００は、端末２００の非接触ＩＣカード制御機能を遠隔制御する機能を具備するサーバである。端末２００は、携帯電話のような、通信機能および非接触ＩＣカード制御機能を具備する小型の機器である。リーダライタ制御要求サーバ３００は、位置情報取得サーバ１４００やサービス事業者サーバ１４２０から収集した情報を元に、非接触ＩＣカード制御サーバ１００に対して端末２００の非接触ＩＣカード制御機能の遠隔操作を要求する機能を具備するサーバである。位置情報取得サーバ１４００は、端末２００の位置情報を取得する機能を具備するサーバである。ここでいう位置情報とは、端末２００が通信に使用している基地局や端末２００より発信されるＧＰＳから取得される情報のことであり、端末２００が地理的にどの位置にいるかを把握するためのものである。サービス事業者サーバ１４２０は、端末２００および端末２００のユーザが加入しているサービス事業者であるか、または端末２００に対してサービスを提供したいサービス事業者のサーバであり、端末２００および端末２００のユーザに対して提供されるサービスの属性や権限等を保持している。非接触ＩＣカード制御サーバ１００、端末２００、リーダライタ制御要求サーバ３００、位置情報取得サーバ１４００およびサービス事業者サーバ１４２０は、通信網８００でそれぞれに対して通信可能な構成とする。また、端末２００の他にも端末２００と同様の構成を具備する端末が多数存在し、非接触ＩＣカード制御サーバ１００、リーダライタ制御要求サーバ３００、位置情報取得サーバ１４００、およびサービス事業者サーバ１４２０は、それらの端末と通信可能な構成を取る。同一通信網上にリーダライタ制御要求サーバ３００、位置情報取得サーバ１４００およびサービス事業者サーバ１４２０らと同様の構成を具備するサーバが複数存在しても良い。
【００１９】
図２は、本発明における端末２００の一形態である。通信部２５０は通信網８００を介して非接触ＩＣカード制御サーバ１００や他の端末と通信するための機能である。端末制御部２４０は、端末２００内の機能を制御するための機能である。非接触ＩＣカード制御部２１０は、リーダライタ２２０およびＩＣカード２３０を制御することで非接触ＩＣカード機能を実現する機能を具備する。リーダライタ２２０は、非接触ＩＣカード制御部２１０およびＩＣカード２３０と接続され、ＩＣタグを含むＩＣカードの読取り、書込みを行う。ＩＣカード２３０は、ＩＣカード制御部２１０およびリーダライタ２２０と接続され、例えば電子マネーの残高管理といった安全に保持されるべき情報の管理を行う。非接触ＩＣカード設定記憶部２１２は、非接触ＩＣカード機能の有効または無効の設定情報を保持する。非接触ＩＣカード機能が有効であるとは、リーダライタ２２０およびＩＣカード２３０が使用可能な状態であることを指す。非接触ＩＣカード機能が無効であるとは、リーダライタ２２０およびＩＣカード２３０が使用不可能な状態であることを指す。非接触ＩＣカード機能の有効、無効設定は、端末２００の一機能として具備され、ユーザの操作により設定される。コマンド解析部２１４は、非接触ＩＣカード制御サーバ１００より受信した情報の解析を行う。応答コマンド生成部２１６は、コマンド解析部２１４により解析された非接触ＩＣカード制御サーバ１００の要求に対する応答を生成する。
【００２０】
図３は、本発明における非接触ＩＣカード制御サーバ１００の一形態である。通信部１９０は、通信網８００を介して端末２００やリーダライタ制御要求サーバ３００と通信するための機能である。端末遠隔制御部１１０は、通信部１９０、非接触ＩＣカード遠隔制御部１２０およびリーダライタ制御要求サーバ通信部１８０と接続され、端末２００の遠隔制御を担当する。非接触ＩＣカード遠隔制御部１２０は、端末遠隔制御部１１０、リーダライタ制御要求受付部１３０、非接触ＩＣカード制御コマンド生成部１３２、端末応答解析部１３４およびリーダライタ起動要求判定部１３６と接続され、端末２００の非接触ＩＣカード機能を制御するための処理を行う。リーダライタ制御要求受付部１３０は、非接触ＩＣカード遠隔制御部１２０と接続され、リーダライタ制御要求サーバ３００が発行する端末２００のリーダライタ起動要求を受け付ける。非接触ＩＣカード制御コマンド生成部１３２は、非接触ＩＣカード遠隔制御部１２０と接続され、端末２００の非接触ＩＣカード機能を制御するためのコマンドを生成する。端末応答解析部１３４は、非接触ＩＣカード遠隔制御部１２０と接続され、端末２００から受信した応答内容を解析する。リーダライタ起動要求判定部１３６は、非接触ＩＣカード遠隔制御部１２０と接続され、端末２００に対して非接触ＩＣカード機能の起動要求の発行可否について判定する。端末応答内容記憶部１３８は、端末応答解析部１３４で解析した端末の非接触ＩＣカード機能の有効・無効の状態を保持する。リーダライタ制御要求サーバ通信部１８０は、通信部１９０および端末遠隔制御部１１０と接続され、リーダライタ制御要求サーバ３００との通信を担当する。
【００２１】
図４は、本発明におけるリーダライタ制御要求サーバ３００の一形態である。通信部３９０は、通信網８００を介して非接触ＩＣカード制御サーバ１００、位置情報取得サーバ１４００およびサービス事業者サーバ１４２０との通信を行う。非接触ＩＣカード制御サーバ通信部３１０は、非接触ＩＣカード制御サーバ１００との通信を行う。制御要求用情報収集部３３０は、非接触ＩＣカードの起動要求の判定に使用するための情報を、位置情報取得サーバ１４００やサービス事業者サーバ１４２０から収集する。制御要求用情報処理部３４０は、位置情報取得サーバ１４００やサービス事業者サーバ１４２０からの情報から、端末２００の非接触ＩＣカード機能の起動要求タイミングおよび停止要求タイミングを判定する。リーダライタ制御要求発行部３２０は、非接触ＩＣカード制御サーバ１００に対して発行される端末２００のリーダライタの起動要求および停止要求を生成し発行する。リーダライタ起動状態記憶部３５０は、端末２００のリーダライタを起動する前の、非接触ＩＣカード機能の有効・無効の状態を保持する。この状態は、非接触ＩＣカード制御サーバ１００に発行したリーダライタの起動要求に対する応答であるリーダライタ起動完了通知に付加される。非接触ＩＣカード制御サーバ１００より端末２００のリーダライタ停止完了通知を受信すると、端末２００のリーダライタを起動する前の非接触ＩＣカード機能の有効・無効の状態を解放する。
【００２２】
リーダライタ制御要求サーバ３００から非接触ＩＣカード制御サーバ１００へ向けて発行されるリーダライタ起動要求の内容を、図５乃至図７を用いて説明する。
【００２３】
図７は、リーダライタ制御要求サーバ３００から非接触ＩＣカード制御サーバ１００へ向けて発行されるコマンドに付加される、リーダライタ起動要求の内容の一形態である。リーダライタ起動要求７００は、遠隔操作の対象となる端末を識別するための情報である端末識別情報７１０と、端末内の遠隔操作の対象となる機能を識別する制御機能番号７２０と、端末の非接触ＩＣカード機能設定が有効である場合の非接触ＩＣカードの起動方法を設定する有効時動作５３０と、端末の非接触ＩＣカード機能が無効である場合の非接触ＩＣカードの起動方法を設定する無効時動作６３０とで構成される。本発明のように、端末２００に対して非接触ＩＣカードの遠隔操作要求を発行する場合には、端末識別情報７１０には端末２００の識別情報を、制御機能番号７２０には非接触ＩＣカード機能を示す番号を設定する。
【００２４】
図５は有効時動作５３０の設定の一形態である。ユーザに確認せずに強制的に起動する場合には"１"（５３１）を、起動するか否かをユーザに確認する場合には"２"（５３２）を設定する。
【００２５】
図６は無効時動作６３０の設定の一形態である。ユーザに確認せずに強制的に起動する場合には"１"（６３１）を、起動するか否かをユーザに確認する場合には"２"（６３２）を、起動しない場合には"３"（６３３）を設定する。
【００２６】
図９は、リーダライタ制御要求サーバ３００から非接触ICカード制御サーバ１００へ向けて発行されるコマンドに付加される、リーダライタ停止要求の内容の一形態である。リーダライタ制御要求サーバ３００の要求により起動された端末２００のリーダライタを、制御要求用情報処理部３４０の指示により停止する場合は、リーダライタ起動状態記憶部３５０が保持する端末２００のリーダライタ起動前の非接触ＩＣカード機能の有効・無効の状態をリーダライタ停止要求９００に付加する（９１０）。
【００２７】
図８は、本発明の非接触ＩＣカード制御サーバ１００のリーダライタ制御要求サーバ３００がリーダライタ起動要求を受信するときの動作フローの一形態である。非接触ＩＣカード制御サーバ１００は、リーダライタ制御要求サーバ通信部１８０でリーダライタ起動要求を受信すると、リーダライタ制御要求受付部１３０へそのリーダライタ起動要求を送信し、リーダライタ起動要求を受け付ける（８００）。端末２００への起動要求であることを認識した非接触ＩＣカード遠隔制御部１２０は、端末２００の非接触ＩＣカード機能の有効・無効設定を確認するため、非接触ＩＣカード制御コマンド生成部１３２にて非接触ＩＣカード設定確認コマンドを生成し、そのコマンドを端末遠隔制御部１１０を介して端末２００へ送信する（８０２）。
【００２８】
端末２００からの応答を端末遠隔制御部１１０で受信すると（８０６）、端末応答解析部１３４が端末２００からの応答内容を解析する（８０８）。リーダライタ起動要求判定部１３６が、端末２００の非接触ＩＣカード機能の有効・無効設定状態とリーダライタ起動要求７００に記載の要求内容とから、非接触ＩＣカード機能を有効化しリーダライタを起動するか否かを判定する（８１０）。図５では、端末２００の非接触ＩＣカード機能の有効・無効設定状態が５３１または５３２の状態であればリーダライタが起動される。図６では、端末２００の非接触ＩＣカード機能の有効・無効設定状態が６３１または６３２の状態であればリーダライタが起動され、６３３の状態ではリーダライタが起動されない。
【００２９】
リーダライタが起動される場合、非接触ＩＣカード制御コマンド生成部１３２にて非接触ＩＣカード機能が有効であればリーダライタ起動用のコマンドを発行し、非接触ＩＣカード機能が無効であれば非接触ＩＣカード機能を有効にしてリーダライタを起動するコマンドを発行する。強制起動をするか否かをユーザに確認する必要があるか否かに関する情報もあわせて付加する（８１４）。端末２００からの応答を受信すると（８１８）、端末応答解析部１３４がその応答の内容を解析する（８２０）。その応答の内容から、リーダライタの起動が成功していると判定される場合には、リーダライタ起動完了通知をリーダライタ制御要求サーバ３００に発行する（８２４）。さらに、端末応答内容記憶部１３８が保持する端末２００のリーダライタ起動前の非接触ＩＣカード機能の有効・無効の状態をリーダライタ起動完了通知に付加する。
【００３０】
リーダライタが起動されない場合、または端末２００からの応答の解析によってリーダライタの起動が失敗したと判定される場合は、リーダライタ起動不可通知をリーダライタ制御要求サーバ３００に発行する（８２６）。
【００３１】
図１０は、本発明の非接触ＩＣカード制御サーバ１００のリーダライタ制御要求サーバ３００がリーダライタ停止要求を受信するときの動作フローの一形態である。非接触ＩＣカード制御サーバ１００は、リーダライタ制御要求サーバ通信部１８０でリーダライタ停止要求を受信すると、リーダライタ制御要求受付部１３０へそのリーダライタ停止要求を送信し、リーダライタ停止要求を受け付ける（１０００）。続いて、非接触ＩＣカード制御サーバ１００はリーダライタ停止コマンドを端末２００に発行する。このとき、非接触ＩＣカード設定９１０に非接触ＩＣカードの機能の無効化が記載されている場合には、非接触ＩＣカード制御サーバ１００は非接触ＩＣカード機能の無効化コマンドをあわせて発行する。これにより、リーダライタ制御要求サーバ３００の要求によるリーダライタ起動前の非接触ＩＣカード機能の有効・無効の状態に復元することが可能となる。端末２００から応答を受信すると、非接触ＩＣカード制御サーバ１００はリーダライタ停止完了通知をリーダライタ制御要求サーバ３００に発行する。
【００３２】
図１１は、本発明の端末２００が非接触ＩＣカード制御サーバ１００から非接触ＩＣカード機能確認要求を受信するときの動作フローの一形態である。端末２００は、非接触ＩＣカード機能確認要求を受信すると（１１００）、非接触ＩＣカード設定記憶部２１２に格納された非接触ＩＣカード機能の有効・無効状態を確認する（１１０２）。続いて、応答コマンド生成部２１６が、非接触ＩＣカード機能の有効・無効状態を通知するためのコマンドを生成し（１１０４）、応答としてそのコマンドを非接触ＩＣカード制御サーバ１００に送信する（１１０６）。
【００３３】
図１２は、本発明の端末２００が非接触ＩＣカード制御サーバ１００からリーダライタ起動コマンドを受信するときの動作フローの一形態である。端末２００は、リーダライタ起動コマンドを受信すると（１２００）、コマンド解析部２１４にて受信内容の確認を行う。リーダライタ起動コマンドでユーザへの確認が指示されている場合は、端末２００はユーザに対してリーダライタを起動して良いかどうかを問い合わせる（１２０４）。ユーザが許可した場合は、端末２００は、非接触ＩＣカード機能の有効化が指示されていれば非接触ＩＣカード機能を有効化した後に（１２１０）リーダライタを起動し（１２１２）、応答コマンド生成部２１６にてリーダライタ起動完了応答コマンドを生成する（１２１４）。非接触ＩＣカード機能の有効化が指示されていなければ、端末２００はリーダライタを起動し（１２１２）、応答コマンド生成部２１６にてリーダライタ起動完了応答コマンドを生成する（１２１４）。ユーザへ問い合わせた結果、リーダライタの起動が許可されなかった場合は、端末２００は応答コマンド生成部２１６にてリーダライタ起動不可応答コマンドを生成する（１２１８）。
【００３４】
強制起動が指示されているためユーザへ確認する必要がなく、かつ非接触ＩＣカード機能の有効化が指示されている場合には、端末２００は、非接触ＩＣカード機能を有効化した後（１２１０）、リーダライタを起動し（１２１２）、応答コマンド生成部２１６にてリーダライタ起動完了応答コマンドを生成する（１２１４）。強制起動が指示されているためユーザへ確認する必要がなく、かつ非接触ＩＣカード機能の有効化が指示されていない場合には、端末２００はリーダライタを起動し（１２１２）、応答コマンド生成部２１６にてリーダライタ起動完了応答コマンドを生成する（１２１４）。
【００３５】
端末２００は、リーダライタ起動完了応答コマンド（１２１４）またはリーダライタ起動不可応答コマンドの生成（１２１８）を完了すると、そのコマンドを非接触ＩＣカード制御サーバ１００に送信する（１２１６）。
【００３６】
図１３は、本発明の端末２００が非接触ＩＣカード制御サーバ１００からリーダライタ停止コマンドを受信するときの動作フローの一形態である。端末２００は、リーダライタ停止コマンドを受信すると（１３００）、コマンド解析部２１４にて受信内容の確認を行う。次いで、端末２００はリーダライタを停止し（１３０２）、非接触ＩＣカード機能の無効化が指示されていれば非接触ＩＣカード機能を無効化する（１３０６）。最後に、端末２００は応答コマンド生成部２１６にてリーダライタ停止完了応答コマンドを生成し（１３０８）、そのコマンドを非接触ＩＣカード制御サーバ１００に送信する（１３１０）。
【００３７】
以上の構成および動作フローにより、リーダライタ機能の起動可否の判断にユーザの意向を反映できるとともに、サービス提供者の視点からもリーダライタ機能の起動可否を柔軟に判断することができる。
【符号の説明】
【００３８】
１００  非接触ＩＣカード制御サーバ
１１０  端末遠隔制御部
１２０  非接触ＩＣカード遠隔制御部
１３０  リーダライタ起動要求受付部
１３２  非接触ＩＣカード制御コマンド生成部
１３４  端末応答解析部
１３６  リーダライタ起動要求判定部
１３８  端末応答内容記憶部
２００  端末
２１０  非接触ＩＣカード制御部
２１２  非接触ＩＣカード設定記憶部
２１４  コマンド解析部
２１６  応答コマンド生成部
２２０  リーダライタ
２３０  ＩＣカード
３００  リーダライタ制御要求サーバ
３２０  リーダライタ制御要求発行部
３３０  制御要求用情報収集部
３４０  制御要求用情報処理部
３５０  リーダライタ起動状態記憶部
１４００  位置情報取得サーバ
１４２０  サービス事業者サーバ
【図１】
2011242824.tif 000003
【図２】
2011242824.tif 000004
【図３】
2011242824.tif 000005
【図４】
2011242824.tif 000006
【図５】
2011242824.tif 000007
【図６】
2011242824.tif 000008
【図７】
2011242824.tif 000009
【図８】
2011242824.tif 000010
【図９】
2011242824.tif 000011
【図１０】
2011242824.tif 000012
【図１１】
2011242824.tif 000013
【図１２】
2011242824.tif 000014
【図１３】
2011242824.tif 000015